(57)【要約】      （修正有）【課題】前記負荷転走通路内を転走するローラに対して偏荷重が作用した場合であっても、かかる偏荷重を効果的に低減させ、軌道レールに対するスライダの運動の円滑化を図ることが可能であると共に、ローラの損耗を可及的に防止することが可能な直線案内装置を提供する。【解決手段】ローラ１が転走する負荷転走面５を備えたベアリングレース２を設け、スライダには軌道レール２側の転走面と対向する位置に前記ベアリングレース２が嵌合する収容溝４を設け、前記ベアリングレース２及び収容溝４はローラ１の転走方向と直交する方向の断面が略半円状に形成され、ベアリングレース２はその外周面が収容溝の内周面に摺接して該収容溝４内を揺動するように構成され、前記収容溝４内におけるベアリングレース２の揺動中心は、互いに対向する軌道レール１０側の転走面とスライダ側の負荷転走面５との間に位置している。【選択図】  図９
2005061619.tif 000002
【特許請求の範囲】
【請求項１】
長手方向に沿ってローラの転走面が形成された軌道レールと、前記転走面と対向する負荷転走面を有するスライダと、前記軌道レール側の転走面及び前記スライダ側の負荷転走面によって形成された負荷転走通路内で荷重を負荷しながら転走する複数のローラとから構成され、前記スライダが前記軌道レール上を往復運動自在な直線案内装置において、
前記負荷転走面はベアリングレースに形成される一方、かかるスライダは軌道レール側の転走面と対向する位置に前記ベアリングレースが嵌合する収容溝を有し、
前記ベアリングレース及び収容溝はローラの転走方向と直交する方向の断面が略半円状に形成され、ベアリングレースはその外周面が収容溝の内周面に摺接して該収容溝内を揺動するように構成され、
前記収容溝内におけるベアリングレースの揺動中心は、互いに対向する軌道レール側の転走面とスライダ側の負荷転走面との間に位置していることを特徴とする直線案内装置。
【請求項２】
スライダの収容溝内におけるベアリングレースの揺動中心は、軌道レール側の転走面上に位置していることを特徴とする請求項１記載の直線案内装置。
【請求項３】
スライダの収容溝内におけるベアリングレースの揺動中心は、軌道レール側の転走面を転走するローラの重心と合致していることを特徴とする請求項１記載の直線案内装置。
【請求項４】
前記軌道レールの両側面には長手方向に沿って夫々２条の転走面が形成される一方、各側面に形成された２条の転走面の法線は互いに交わっていることを特徴とする請求項１乃至３のいずれかに記載の直線案内装置。
【発明の詳細な説明】
【技術分野】
【０００１】
本発明は、軌道レールとスライダが相対的に往復運動自在に組みつけられた直線案内装置に係り、特に、軌道レールとスライダとの間に多数のローラを配置し、これらローラが軌道レールとスライダの間に作用する荷重を負荷しながら転走するタイプの直線案内装置に関するものである。
【背景技術】
【０００２】
【特許文献１】特開昭５８−１２８５２６号公報
【特許文献２】特開昭６２−０２４６４６号公報
【０００３】
従来、この種の直線案内装置としては、ベッドやコラム等の固定部上に設置された軌道レールと、ボール又はローラといった多数の転動体を介して前記軌道レールに組み付けられ、かかる軌道レールに沿って自在に往復運動可能なスライダとから構成されている。前記軌道レールには転動体の転走面が形成される一方、スライダにも軌道レールの転走面と対向する負荷転走面が形成されており、軌道レールの転走面とスライダの負荷転走面が互いに対向することによって、転動体の負荷転走通路が形成されている。この負荷転走通路には前記転動体が１列に配列されており、これら転動体が軌道レールとスライダとの間で荷重を負荷しながら転走することにより、前記スライダが軌道レールに沿って極めて小さな抵抗で自在に移動できるようになっている。
【０００４】
前記負荷転走通路は軌道レールとスライダとの間に一条のみ存在するのではなく、２条あるいは４条といった複数条の負荷転走通路が存在している。従って、各負荷転走通路における転動体と軌道レールの転走面との接触方向、転動体とスライダの負荷転走面の接触方向は互いに異なったものとなっており、前記スライダは軌道レールの長手方向と直交する面内において作用するあらゆる方向の荷重を負荷することができるようになっている。例えば、４条の負荷転走通路を具備する直線案内装置では、各負荷転走通路における転動体の負荷転走面との接触方向が水平方向に対して４５度ずつ傾斜しており、ラジアル方向、逆ラジアル方向、水平方向の４方向からに作用する荷重を均等に負荷することができるようになっている。
【０００５】
前述の如く、この種の直線案内装置では軌道レールをベッド等の固定部に配設する一方、前記スライダをワークテーブル等の可動体に取り付けるのだが、固定部に対する軌道レールの取付精度、可動体に対するスライダの取付精度によっては、軌道レール上を走行するスライダが該軌道レールに対して傾いてしまい、負荷転走通路において軌道レール側の転走面とスライダ側の負荷転走面が正対しなくなってしまう。転動体がボールの場合には、かかるボールが軌道レールの転走面及びスライダの負荷転走面と点接触あるいは極小さな領域で面接触していることから、スライダの傾きに起因して負荷転走面が軌道レール側の転走面に対して僅かに変位しても、ボールが転走面上で変位し、軌道レールやスライダの取付誤差を比較的容易に吸収することが可能である。しかし、転動体がローラの場合には、かかるローラが軌道レールの転走面及びスライダの負荷転走面と線接触していることから、軌道レールやスライダの取付誤差を吸収することが困難であり、個々のローラにはその回転軸方向に沿って不均一な荷重、すなわち偏荷重が作用しやすい。ローラに対して偏荷重が作用すると、負荷転走通路内におけるローラの整列状態が崩れるスキューを生じ易くなり、負荷転走通路内でローラ同士が噛み合ってロックする等、軌道レールに対するスライダの円滑な運動が阻害される懸念がある。また、偏荷重によってローラに偏摩耗が生じ、偏荷重が作用しない場合に比べ、かかるローラが早期に損耗してしまう可能性が高かった。
【０００６】
このため、転動体としてローラを使用する直線案内装置では、ローラの回転軸方向の両端に対して僅かにクラウニング処理を施し、軌道レールやスライダの取付に僅かな取付誤差が存在しても、ローラに作用する偏荷重を軽減することができるようにしていた。しかし、クラウニング量の調整が難しく、手間がかかることから生産コストが嵩むといった問題点があった。
【０００７】
一方、特開昭５８−１２８５２６号公報記載の直線案内装置では、ローラの負荷転走面を有するベアリングレースがスライダに装着されており、かかるベアリングレースがローラに対する荷重の作用方向に応じ、スライダに対して変位するように構成されている。前記ベアリングレースは円柱状に形成されており、その軸方向をローラの転走方向と合致させた状態でスライダに嵌合している。ローラはこのベアリングレースと軌道レールとの間で荷重を負荷しながら転走するのだが、前記ベアリングレースを円柱状に形成したことにより、ローラに対して偏荷重が作用した際に、ベアリングレースがその周方向へ僅かに変位し、ローラに作用する偏荷重を軽減する効果が期待されている。
【０００８】
しかし、ベアリングレースの回転中心が負荷転走面を転走するローラと無関係に設けられているため、スライダに対する荷重の作用方向によっては、固定部に対する軌道レールの取付精度や可動体に対するスライダの取付精度が十分に高精度であるにもかかわらず、ベアリングレースをその周方向へ変位させるモーメント荷重が発生し、却ってローラに偏荷重が作用してしまうことがあった。
【０００９】
また、特開昭６２−０２４６４６号公報に記載された直線案内装置では、スライダに嵌合する円柱状のベアリングレースに対して、ローラの負荷転走面が２条形成されており、特開昭５８−１２８５２６号公報記載の直線案内装置と同様に、前記ベアリングレースがローラに対する荷重の作用方向に応じ、スライダに対して周方向へ僅かに回転するように構成されている。しかし、ベアリングレースに形成された２条の負荷転走面は互いに異なる方向を向いていることから、一方の負荷転走面上のローラに作用している偏荷重と、他方の負荷転走面上のローラに作用している偏荷重は互いに異なるものとなってしまう。このため、ベアリングレースが一方のローラに作用する偏荷重に応じて周方向へ変位しようとしても、他方のローラに作用する偏荷重によって拘束されてしまい、各ローラの作用する偏荷重を十分に軽減することができなかった。
【発明の開示】
【発明が解決しようとする課題】
【００１０】
本発明はこのような問題点に鑑みなされたものであり、その目的とするところは、前記負荷転走通路内を転走するローラに対して偏荷重が作用した場合であっても、かかる偏荷重を効果的に低減させ、軌道レールに対するスライダの運動の円滑化を図ることが可能であると共に、ローラの損耗を可及的に防止することが可能な直線案内装置を提供することにある。
【課題を解決するための手段】
【００１１】
本発明は、スライダが多数のローラを介して軌道レールに組付けられ、かかるスライダが軌道レールに沿って往復自在に運動する直線案内装置に適用される。前記軌道レールにはその長手方向に沿ってローラの転走面が形成される一方、前記スライダには軌道レール側の転走面と対向する負荷転走面が形成されており、ローラはこれら転走面と負荷転走面によって形成された負荷転走通路内で荷重を負荷しながら転走する。前記負荷転走面はベアリングレースに形成されており、スライダにはこのベアリングレースが嵌合する収容溝が形成されている。ベアリングレースはローラの転走方向と直交する方向の断面が略半円状に形成されており、前記収容溝もこれと同じ形状に形成されている。これにより、ベアリングレースが収容溝内で揺動し、ベアリングレースの外周面が収容溝の内周面に摺接するように構成されている。そして、前記ベアリングレースの収容溝内における揺動中心は、互いに対向する軌道レール側の転走面とスライダ側の負荷転走面との間に位置している。
【００１２】
このように構成された本発明の直線案内装置において、前記軌道レールとしては、長手方向に沿って複数条のローラ転走面を有するものであれば、その条数は２条であっても、４条であっても、前記スライダの負荷荷重等に応じて適宜選択して差し支えない。また、軌道レールに対するこれらローラ転走面の配置に関しても、スライダに与える荷重負荷能力に応じて適宜設計変更することが可能であり、例えば、断面略矩形状に形成された軌道レールの両側面にのみ形成しても、軌道レールの上面及び両側面の夫々に形成しても差し支えない。
【００１３】
また、前記スライダとしては、ローラを介して前記軌道レールに組み付けられるものであれば、その形状は使用用途等に応じ、任意に設計変更しても差し支えない。また、前記スライダはローラの無限循環路を備えて、負荷転走通路の一端から他端へローラを循環させるタイプのものであっても良いし、ローラを循環させることなく、負荷転走通路の中だけで往復動させるタイプのものであっても良い。
【００１４】
更に、前記ローラとしては、直線案内装置の使用用途等に応じ、その幅や径を適宜設計変更しても差し支えない。また、前記ローラはそのまま負荷転走通路に充填され、隣接するローラと接触しながら転走するものであっても差し支えないし、ローラケージに配列され、かかるローラケージと共に負荷転走通路へ充填されたものであっても良い。
【発明を実施するための最良の形態】
【００１５】
以下、添付図面を参照しながら本発明の偏荷重防止機構を備えた直線案内装置を詳細に説明する。
【００１６】
図１及び図２は、本発明が適用された直線案内装置の実施例を示すものである。この直線案内装置は、ベッド、コラム等の固定部に配設される軌道レール１０と、多数のローラ１を介して前記軌道レール１０に組付けられ、かかる軌道レール１０上を往復運動自在なスライダ１１とから構成されている。
【００１７】
前記軌道レール１０は長手方向に直交する断面が略矩形状に形成されると共に、その各側面には長手方向に沿ってローラの転走面３が２条ずつ、合計４条形成されている。軌道レール１０の各側面に形成された２条の転走面３は水平に対して４５度ずつ上向きあるいは下向きに形成されており、各転走面の法線が互いに交わるようになっている。また、軌道レール１０には長手方向に沿って所定の間隔でボルト取付孔１５が形成されており、このボルト取付穴に挿入したボルトを固定部に締結することにより、軌道レールを固定部に対して強固に固定することができるようになっている。
【００１８】
一方、前記スライダ１１は前記軌道レール１０の上部が隙間を介して嵌合する案内溝を有してチャネル状に形成されており、金属製のスライダ本体１１ａと、このスライダ本体１１ａの両端に固定された一対のエンドプレート１２とから構成されている。スライダ本体１１ａの上面はテーブル等の可動体の取付面１４となっており、かかる取付面１４にはタップ穴１３が加工されている。従って、このタップ穴１３にボルトを締結することで、可動体をスライダ１１に固定することができるようになっている。
【００１９】
スライダ本体１１ａには、軌道レール１０の各転走面３と対向する位置に収容溝４が形成されており、各収容溝４には棒状のベアリングレース２が嵌合するようになっている。ベアリングレース２には軌道レール１０の転走面３と対向する負荷転走面５が形成されており、これら転走面３と負荷転走面５によってローラ１の負荷転走通路２１が構成されている。各ローラ１は軌道レール１０の転走面３とベアリングレース２の負荷転走面５に接し、可動体からスライダ１１に対して作用する荷重を負荷しながら、前記負荷転走通路２１内を転走する。
【００２０】
また、前記スライダ本体１１ａには各負荷転走通路２１に対応して円形状のローラ戻し穴２２が形成されており、これらローラ戻し穴２２内には合成樹脂製のケージ保持部材２４が挿入され、かかるローラ戻し穴２２の内部を無負荷状態で転走するローラ１を一列に整列させるようになっている。
【００２１】
更に、図３に示すように、前記蓋体１２には負荷転走通路２１の一端とローラ戻し穴２２の一端とを連結する方向転換路２７が形成されており、一対の蓋体１２をスライダ本体１１ａの端面に夫々固定することで、ローラ１の無限循環路が形成されるようになっている。ローラ１は負荷転走通路２１内ではスライダ１１に作用する荷重を負荷しながら転走し、かかる負荷転走通路２１の端部において荷重から開放され、無負荷状態となって方向転換路２７に入り込む。そして、無負荷状態のままローラ戻し穴２２を転走し、逆側の方向転換路２７を経て負荷転走通路２１の他端へと循環する。
【００２２】
軌道レール１０の側面に形成された２条の転走面３はそれぞれの法線が９０度の角度で交わっているため、これら転走面３に対応する方向転換路２７は蓋体１２の内部で交差している。すなわち、図２に示すように、軌道レール１０の側面に形成された上下２条の転走面３，３のうち、上側の転走面３を転走したローラ１は蓋体１２の方向転換路２７によって下側のローラ戻し穴２２に導かれ、下側の転走面３を転走したローラ１は上側のローラ戻し穴２２に導かれている。このように蓋体１２の内部で交差する方向転換路２７が互いに干渉することがないよう、図３に示すように、互いに交差する一対の方向転換路２７，２７はその一方が他方よりも大きな円弧で形成され、他方の方向転換路が円弧の内側を貫通するようになっている。
【００２３】
一方、ローラ１はスライダ１１の無限循環路にそのまま配列されているのではなく、合成樹脂製のローラケージ３０に所定の間隔で一列に配列され、かかるローラケージ３０と共に無限循環路に組み込まれている。図４に示すように、かかるローラケージ３０は複数のスペーサ３１を連結部３２で相互に結合してベルト状に形成されており、各スペーサ３１にはローラ１を包持する曲面座が形成されている。すなわち、各ローラ１は前後に隣接する一対のスペーサ３１によって回転自在に且つ所定の姿勢で保持されており、無限循環路内におけるスキューの発生を防止している。
【００２４】
このローラケージ３０は無限循環路内をローラ１と共に循環するが、循環中におけるローラケージ３０の捩れや蛇行を防止するため、ローラ１の無限循環路にはその全長にわたってケージ保持部材が設けられている。すなわち、ローラ戻し穴２２の内部には合成樹脂製のケージ保持部材２４が挿入される一方、負荷転走通路の両側にはケージ保持部材２３が装着され、更に蓋体にはケージ保持部材２５が嵌合している。これらのケージ保持部材にはローラケージ３０の連結部３２が入り込む案内溝２８が形成されており、各ケージ保持部材２３，２４，２５に形成された案内溝２８は無限循環路に沿って連続している。このため、ローラケージ３０は前記案内溝２８に導かれ、一定の軌道で無限循環路内を循環することになる。これにより、スライダ１１の内部におけるローラ１の循環の円滑化が図られている。
【００２５】
図２に示すように、前記ベアリングレース２は長手方向と直交する断面が略半円状に形成されており、長手方向に沿って連続する平面部に前記負荷転走面５が形成されている。また、このベアリングレース２が嵌合するスライダ本体１１ａの収容溝４も略同一の断面形状に形成されており、ベアリングレース２の外周面が収容溝４の内周面と摺接することにより、かかるベアリングレース２が収容溝４の内部で周方向へ僅かに揺動することが可能となっている。
【００２６】
以上のように構成された本実施例の直線案内装置では、負荷転走通路２１内に位置するローラ１がスライダ１１と軌道レール１０との間に作用する荷重を負荷しながら転走することにより、可動体を搭載したスライダ１１を軌道レール１０に沿って固定部上で自在に往復運動させることが可能となっている。
【００２７】
このとき、固定部に対する軌道レール１０の取付精度、あるいは可動体に対するスライダ１１の取付精度によっては、軌道レール１０側の転走面３とスライダ１１側の負荷転走面５との間隔がローラ１の回転軸方向に沿って均一とならず、負荷転走面５を転走する各ローラ１に偏荷重が作用し、負荷転走通路２１内におけるローラ１のスキューやローラ１の偏摩耗の原因となる。しかし、この実施例の直線案内装置ではローラ１に偏荷重が作用した際に、負荷転走面５を有するベアリングレース２がスライダ本体１１ａの収容溝４の内部で僅かに揺動することにより、ローラ１に作用する偏荷重を軽減することが可能となっている。
【００２８】
その一方、この直線案内装置では軌道レール１０に形成されたローラ１の転走面３が固定部の取付面に対して４５度ずつ上向きあるいは下向きに傾斜しており、例えばスライダ１１に対して図２に示すようなラジアル荷重Ｗが作用した場合には、各ローラ１に対する荷重の作用方向が転走面３の法線方向と合致しないことになる。このため、軌道レール１０の転走面３の法線方向と合致しない方向からスライダ１１に対して荷重が作用した際に、ベアリングレース２の形状によっては、かかるベアリングレース２を収容溝４内で変位させるモーメント荷重が作用してしまうことがある。このようなモーメント荷重が発生すると、固定部に対する軌道レール１０の取付精度あるいは可動体に対するスライダ１１の取付精度が十分に高精度であるにもかかわらず、ベアリングレース２が収容溝４内で変位し、ローラ１に対して偏荷重が作用してしまう。
【００２９】
例えば、図５に示すように、ベアリンングレース２の外周面の曲率中心Ｑが負荷転走面５よりもスライダ本体１１０ａ側に位置している場合を想定する。ベアリングレース２に対してスライダ本体１１０ａから下向きのラジアル荷重Ｗが作用したとすると、かかる荷重Ｗは軌道レール１０の転走面３に垂直な分力Ｗ１と該転走面に平行な分力Ｗ２の合力なので、仮にベアリングレース２とローラ１を一つの剛体であるとみなすと、ベアリングレース２に対しては前記分力Ｗ２に反してローラ１を軌道レール１０の転走面３上に止める反力Ｆが作用することになる。ベアリングレース２の外周面の曲率中心Ｑが負荷転走面５よりもスライダ本体１１０ａ側に位置していると、この反力Ｆがベアリングレース２に対して作用する図中で左回りのモーメント荷重Ｍ１を発生させ、このモーメント荷重Ｍ１によってベアリングレース２が収容溝４内で僅かに変位することになる。
【００３０】
このようなモーメント荷重Ｍ１がベアリングレース２に作用し、その結果として該ベアリングレース２が収容溝４内で変位すると、図６に示すように、ローラ１に対して作用する荷重ｆは該ローラ１の一端側（図６中の左端）で他端側よりも大きな偏荷重となってしまう。この偏荷重は前記モーメント荷重Ｍ１が大きいほど、すなわちベアリングレース２の曲率中心Ｑと負荷転走面５との距離Ｌが大きいほど顕著である。
【００３１】
一方、図７に示すように、ベアリンングレース２の外周面の曲率中心Ｑが転走面３よりも軌道レール１０側に位置していると、図５の場合とは逆に、前記反力Ｆがベアリングレース２に対して作用する図中で右回りのモーメント荷重Ｍ２を発生させ、このモーメント荷重Ｍ２によってベアリングレース２が収容溝４内で僅かに変位することになる。このようなモーメント荷重Ｍ２がベアリングレース２に作用し、その結果として該ベアリングレース２が収容溝４内で変位すると、やはりローラ１に対して作用する荷重は該ローラ１の一端側で他端側よりも大きな偏荷重となってしまう。
【００３２】
また、ベアリングレース２の外周面の曲率中心Ｑとローラ１の重心Ｐとの距離Ｓが大きいと、ベアリングレース２が前記モーメント荷重Ｍ１又はＭ２によって収容溝４内で変位する際に、負荷転走面５を転走するローラ１に対してこれを転走方向と直交する方向へ移動させようとする力が作用することになる。すなわち、図８に示すように、ベアリングレース２が収容溝４の内部で外周面の周方向へ変位しようとすると、負荷転走面５を転走するローラ１も点Ｑを中心として半径Ｓの円弧を描くにように、１ａ、１ｂで示す位置に変位しようとする。もっとも、ローラ１は軌道レール１０の転走面３とベアリングレース２の負荷転走面５との間で荷重を負荷している最中は、回転軸方向へ移動することが困難なので、ベアリングレース２の変位に伴ってスライダ１１が変位してしまう可能性があり、固定部に対する軌道レール１０の取付精度、可動体に対するスライダ１１の取付精度を十分に高めたとしても、軌道レール１０に対してスライダ１１が変位してしまい、可動体の運動精度が損なわれる懸念がある。
【００３３】
このことから、本実施例の直線案内装置では、ベアリングレース２の外周面の曲率中心Ｑを該ベアリングレース２に形成された負荷転走面５と軌道レール１０に形成された転走面３の間に設定されている。すなわち、曲率中心Ｑはローラ１が転走している負荷転走通路２１内に位置している。
【００３４】
図９は、ベアリングレース２の曲率中心Ｑを負荷転走通路２１内におけるローラ１の重心Ｐに合致させた例を示すものである。ベアリングレース２の曲率中心Ｑをこのように設定すると、ローラ１を負荷転走面５上に止めようとする反力Ｆとベアリングレース２の曲率中心Ｑとの距離は、かかるローラ１の半径Ｒと等しくなり、反力Ｆに起因して発生するモーメント荷重Ｍ１を小さくすることができるものである。特に、ニードルローラの如く直径の小さなローラ１を転動体として用いるのであれば、前記モーメント荷重Ｍ１は可及的に小さくすることが可能となる。これにより、ローラ１に対して偏荷重が作用するのを可及的に防止することができるものである。
【００３５】
また、このようにベアリングレース２の曲率中心をローラ１の重心Ｐ、すなわち転走時におけるローラ１の回転中心ｍとローラ１の長手方向の二等分線lの交点に合致させると、たとえベアリングレース２がモーメント荷重Ｍ１によって収容溝４内で変位したとしても、図１０に示すように、ローラ１は自らの重心Ｐを中心として回転を試みるだけなので、ベアリングレース２の変位に伴ってスライダ１１が変位してしまうことはない。従って、ローラ１に作用する偏荷重を取り除くべく、ベアリングレース２が収容溝４内で変位したとしても、スライダ１１に取り付けた可動体の運動精度が損なわれることはない。
【００３６】
次に、図１１は、ベアリングレース２の曲率中心Ｑを軌道レール１０に形成されたローラ１の転走面３上に合致させた例を示すものである。ベアリングレース２の曲率中心Ｑをこのように設定すると、ローラ１を負荷転走面５上に止めようとする反力Ｆはベアリングレース２の曲率中心Ｑに対して直接作用することから、ベアリングレース２を収容溝４内で回転させようとするモーメント荷重は発生しない。このため、ローラ１に対して偏荷重が作用するのを略完全に防止することができるものである。
【００３７】
また、前記反力Ｆに起因するモーメント荷重がベアリングレース２に作用しないことから、固定部に対する軌道レール１０の取付精度、可動体に対するスライダ１１の取付精度が高いのであれば、ベアリングレース２が収容溝４内で変位することはなく、ローラ１をその回転軸方向へ変位させる力も発生しないので、軌道レール１０に対するスライダ１１の運動姿勢が損なわれることはなく、スライダ１１に取り付けた可動体の運動精度が損なわれることもない。
【００３８】
このように本発明の直線案内装置によれば、ベアリングレース２の外周面の曲率中心を該ベアリングレース２の負荷転走面５と軌道レール１０の転走面３との間に位置させることにより、負荷転走通路２１内を転走するローラ１に対して偏荷重が作用した場合であっても、かかる偏荷重を効果的に低減させ、軌道レール１０に対するスライダ１１の運動の円滑化を図ることが可能であると共に、ローラ１の損耗を可及的に防止することが可能となる。
【図面の簡単な説明】
【００３９】
【図１】本発明を適用した案内装置の一部切欠き斜視図である。
【図２】図１に示す案内装置の縦断面図である。
【図３】図１に示す案内装置におけるローラの無限循環路の構成を示す縦断面図である。
【図４】無限循環路に組み込まれるローラケージを示す斜視図である。
【図５】ベアリングレースの曲率中心が負荷転走面よりもスライダ側に位置している例を示す拡大断面図である。
【図６】図５に示したベアリンングレースの構成においてローラに偏荷重が作用することを示す説明図である。
【図７】ベアリングレースの曲率中心が転走面よりも軌道レール側に位置している例を示す拡大断面図である。
【図８】ベアリングレースの曲率中心とローラ重心の距離に応じてローラが回転軸方向へ変位する問題点を示す図である。
【図９】ベアリングレースの曲率中心がローラの重心に合致している例を示す拡大断面図である。
【図１０】図９の構成において、ベアリングレースが変位した際のローラの動きの例を示す図である。
【図１１】ベアリングレースの曲率中心が軌道レールの転走面上に合致している例を示す拡大断面図である。
【符号の説明】
【００４０】
１…ローラ、２…ベアリングレース、３…転走面、４…収容溝、５…負荷転走面、１０…軌道レール、１１…スライダ、１１ａ…スライダ本体、２１…負荷転走通路、Ｑ…曲率中心
【図１】
2005061619.tif 000003
【図２】
2005061619.tif 000004
【図３】
2005061619.tif 000005
【図４】
2005061619.tif 000006
【図５】
2005061619.tif 000007
【図６】
2005061619.tif 000008
【図７】
2005061619.tif 000009
【図８】
2005061619.tif 000010
【図９】
2005061619.tif 000011
【図１０】
2005061619.tif 000012
【図１１】
2005061619.tif 000013